(57)【要約】【課題】  簡単な構成によって瞬時点灯に対応することができるメタルハライドランプの接続装置を提供する。【解決手段】  メタルハライドランプの一端部に設けてある端部接続体２はソケット３に着脱可能であり、本体２１内部が収納空間２３であり、この本体の外周に口金２２を取り付け、ソケット３の本体３１は内周壁に口金２２と嵌合可能である受金３２を取り付け、内底部に嵌合凹部２４と嵌合可能である筒体部３３を起立してあり、メタルハライドランプの第１及び第２のリード線の端部１５１，１６１は嵌合凹部の底部より筒体部側の第１の引き出し線８に電気的に接続可能であり、第２のリード線の端部は第２の引き出し線９に電気的に接続可能である。【選択図】        図１
2008218161.tif 000002
【特許請求の範囲】
【請求項１】
メタルハライドランプの一端部に設けてある端部接続体と、この端部接続体と着脱可能であるソケットとからなり、
上記端部接続体は絶縁部材によって形成されていると共に内部が収納空間となっている本体と、この本体の外周に取り付けられている口金とを備えており、
上記ソケットは通孔を有する本体と、内周壁に取り付けてあって上記口金と嵌合可能である受金と、内底部に起立してある筒体部とを備えており、
上記端部接続体の本体はその一端部側に上記筒体部と嵌合可能である嵌合凹部を設けてあり、内部の収納空間にはメタルハライドランプの第１及び第２のリード線の端部が延伸されており、
上記第１のリード線の端部は上記嵌合凹部の底部より上記筒体部側の第１の引き出し線に電気的に接続可能であり、上記第２のリード線の端部は上記収納空間内で屈曲され上記受金を介して上記通孔を挿通されている第２の引き出し線に電気的に接続可能である
ことを特徴とするメタルハライドランプの接続装置。
【請求項２】
端部接続体の本体の嵌合凹部の底部上には、上記本体内の収納空間を仕切ると共に第１のリード線及び第２のリード線の端部間に位置して両リード線を絶縁させるための絶縁壁を設けてあることを特徴とする請求項１記載のメタルハライドランプの接続装置。
【発明の詳細な説明】
【技術分野】
【０００１】
この発明は、店舗や室外装飾などの照明に用いられる発光管を有しているメタルハライドランプの接続装置に関するものである。
【背景技術】
【０００２】
特開平８−２６４１１０号公報に記載の反射形金属蒸気放電灯（以下「従来例」という。）において、例示されている反射形メタルハライドランプは、その下部に口金に相当するリフレクターを設け、このリフレクター内はソケット嵌入室を残して無機接着剤充填部を充填し、一対のリード線の下端部（外端部）の突出外端部がリードピンに挿入されており、両リードピンが無機接着剤充填部から嵌入室に突出され、ソケットのピン孔に挿入されるものである。
【特許文献１】特開平８−２６４１１０号公報
【発明の開示】
【発明が解決しようとする課題】
【０００３】
従来例の使用時には、リードピンに挿入されている一対のリード線の突出外端部がリードピンを介してソケットに接続されているが、瞬時点灯時に両突出外端部に高電圧がかかり、構造上突出外端部の対向間の高電圧による悪影響を抑える何等の手段も設けられていないことから、短絡を生じやすく、瞬時点灯に対応しにくく、始動や再始動時間が長くなる課題があることが推測される。
この発明の目的は、簡単な構成によって瞬時点灯に対応することができるメタルハライドランプの接続装置を提供することにある。
【課題を解決するための手段】
【０００４】
この発明の第１の特徴は、メタルハライドランプの一端部に設けてある端部接続体と、この端部接続体と着脱可能であるソケットとからなることにある。上記端部接続体は絶縁部材によって形成されていると共に内部が収納空間となっている本体と、この本体の外周に取り付けられている口金とを備えており、上記ソケットは通孔を有する本体と、内周壁に取り付けてあって上記口金と嵌合可能である受金と、内底部に起立してある筒体部とを備えており、上記端部接続体の本体はその一端部側に上記筒体部と嵌合可能である嵌合凹部を設けてあり、内部の収納空間にはメタルハライドランプの第１及び第２のリード線の端部が延伸されており、上記第１のリード線の端部は上記嵌合凹部の底部より上記筒体部側の第１の引き出し線に電気的に接続可能であり、上記第２のリード線の端部は上記収納空間内で屈曲され上記受金を介して上記通孔を挿通されている第２の引き出し線に電気的に接続可能である。
この発明の第２の特徴は、上記第１の特徴を備えており、端部接続体の本体の嵌合凹部の底部上には、上記本体内の収納空間を仕切ると共に第１のリード線及び第２のリード線の端部間に位置して両リード線を絶縁させるための絶縁壁を設けてあることにある。
【発明の効果】
【０００５】
この発明によれば、簡単な構成により瞬間点灯に対応することができるメタルハライドランプの接続装置を提供することができる。
【発明を実施するための最良の形態】
【０００６】
この発明に係るメタルハライドランプの接続装置について図面を参照して説明する。
図１〜図３に示すセラミックメタルハライドランプの接続装置は、メタルハライドランプ１の一端部（図３下端部）に設けてある端部接続体２と、この端部接続体と着脱可能に接続されるソケット３とからなる。
【０００７】
図３において、セラミックメタルハライドランプ１において、外管１１内には本体がセラミック製である発光管１２を設けてある。発光管１２はその内部が発光物質である金属ハロゲン化物質が封入されているセラミック放電室となっており、室内上下に対向して電極１３，１４を設けてある。一方（図３上方）の電極１３は第１のリード線１５に、また他方の電極１４は第２のリード線１６にそれぞれ電気的に接続されている。第１及び第２のリード線１５，１６の下端部側は外管１１内の硬質ガラスからなるステム１７内を貫通している。第１及び第２のリード線１５，１６はステム１７内ではガラス管などからなる絶縁管１８，１９によって被覆されている。
【０００８】
図１、図２及び図４〜図６において、端部接続体２は本体２１及び口金２２を備えている。
端部接続体２の本体２１は絶縁部材であるセラミックによって壷状に成形され、内部が収納空間２３となっている。本体２１の上開口部側内部にステム１７の下端の固定端部１７１が配置されている。本体２１の収納空間２３内には絶縁管１８，１９から突出されている第１及び第２のリード線１５，１６の端部１５１，１６１がそれぞれ延伸されている。第１のリード線１５の端部１５１は端部接続体２の本体２１の嵌合凹部２４を貫通し、接点部４に接続されている。第２のリード線１６の端部１６１は収納空間２３内においてＵ字形に折り曲げられてステム１７の固定端部１７１内に挿入され、先端部側が外側に向けて水平に折り曲げられてその最先端部が口金２２に接触されていると共にその側壁外面に露出されている。
嵌合凹部２４は本体２１の下端側に設けられている。嵌合凹部２４は下端側が開口となっており、内底部に接点部４が配置されている。嵌合凹部２４の底部上には絶縁壁２５を起立してある。絶縁壁２５は本体２１の収納空間２３内を図２左右に仕切っていると共に、収納空間内に露出されている第１のリード線１５の端部１５１と第２のリード線１６の端部１６１との間の絶縁状態を維持する役目を有している。
口金２２は本体２１の外周に中間部から上側に向けてこの本体と一体的に嵌め込まれている。
【０００９】
図１、図２及び図７〜図８において、ソケット３は本体３１、受金３２及び筒体部３３を備えている。
ソケット３の本体３１は有底筒体に形成されており、下部両側に取り付け部３１１を水平方向に突出してある。受金３２は本体３１の内周壁上側に取り付けられている。受金３２の上端のつば部３２１が本体３１の上端開口の縁部上に載置され、つば部３２１を介して止め部材５によって本体に固定されている。筒体部３３は本体３１の内底部上に起立されている。筒体部３３内にはコイルばね６を配置してある。コイルばね６は、その上端部で板ばねからなる接点部７を保持している。コイルばね６は上向きのばね力を付勢している。接点部７には第１の引き出し線８が接続されている。第１の引き出し線８は、コイルばね６内を通過して筒体部３３の下端開口部を経て本体３１の下方へ引き出されている。また本体３１の図２左側には通孔３１２が上下方向に貫通されている。第２の引き出し線９は受金３２の上端のつば部３２１から通孔３１２を通って本体３１の下方へ引き出されている。
【００１０】
端部接続体２とソケット３との接続関係について説明する。
図１及び図２に示すように、ソケット３の受金３２には端部接続体２の口金２２が嵌め込み可能である。嵌め込み時には、嵌合凹部２４内に筒体部３３の上端部が嵌合される。嵌合状態では、第１のリード線１５は接点部４，７を通じて第１の引き出し線８に、また第２のリード線１６は端部で接触している受金３２を通じて第２の引き出し線９にそれぞれ電気的に接続されている。
図１に示すように、端部接続体２とソケット３とが接続状態にあるときは、第１のリード線１５と第２のリード線１６とは嵌合凹部２４内の絶縁壁２５によって確実な絶縁状態が維持されている。また第１のリード線１５の端部１５１が接続されている接点部４は嵌合凹部２４内底部に位置し、この接点部と受金３２に接触している第２のリード線１６の端部１６１とが離されていることから、第１のリード線と第２のリード線と間は、より高い絶縁状態を確保することができる。
【００１１】
セラミックメタルハライドランプの使用方法について説明する。
図１及び図３に示すように、セラミックメタルハライドランプ１の端部接続体２をソケット３に差し入れると、端部接続体の嵌合凹部２４内に筒体部３３の上端部が差し込まれ、第１のリード線１５は接点部４，７を通じて第１の引き出し線８と、第２のリード線１６は受金３２を通じて第２の引き出し線９とそれぞれ電気的に接続されるので、セラミックメタルハライドランプに電流が供給され、発光管１２内で放電がされ、発光（点灯）される。
消灯後に、直ちにスイッチを入れて、高熱高温度状態にあるセラミックメタルハライドランプ１に電流を供給しても、上述した瞬時点灯に対応可能である接続手段を有しているために点灯が可能となる。
【００１２】
接点部７を筒体部３３の上端部より幾分上方に配置することにより、端部接続体２とソケット３との接続時に、接点部７は嵌合凹部２４内の接点部４にコイルばね６の所定のばね力によって接触するので、通電が確実になる。接点部７の保持手段は筒体部３３で保持しても良く、コイルばね６に限られない。
絶縁壁２５は図１及び図４に示す例では嵌合凹部２４の底部上にのみ設けられているが、図４の上下方向に延長して端部接続体２の本体２１の内周壁に達するように、すなわち収納空間２３を横断するように配置しても良い。
【図面の簡単な説明】
【００１３】
【図１】この発明に係るセラミックメタルハライドランプの接続装置の断面図である。
【図２】この発明に係るセラミックメタルハライドランプの接続装置の分解図である。
【図３】この発明に係るセラミックメタルハライドランプとランプの接続状態を示す外観図である。
【図４】図２のＩＶ−ＩＶ線断面図である。
【図５】この発明に係るセラミックメタルハライドランプにおける端部接続体を示す底面図である。
【図６】この発明に係るセラミックメタルハライドランプにおける端部接続体を示す側面図である。
【図７】図２のＶＩＩ−ＶＩＩ線断面図である。
【図８】この発明に係るセラミックメタルハライドランプにおけるソケットの平面図である。
【符号の説明】
【００１４】
１                    セラミックメタルハライドランプ（メタルハライドランプ）
１５                  第１のリード線
１５１                第１のリード線の端部
１６                  第２のリード線
１６１                第２のリード線の端部
２                    端部接続体
２１                  本体
２２                  口金
２３                  収納空間
２４                  嵌合凹部
２５                  絶縁壁
３                    ソケット
３１                  本体
３２                  受金
３３                  筒体部
３１２                通孔
４                    接点部
６                    コイルばね
７                    接点部
８                    第１の引き出し線
９                    第２の引き出し線
【図１】
2008218161.tif 000003
【図２】
2008218161.tif 000004
【図３】
2008218161.tif 000005
【図４】
2008218161.tif 000006
【図５】
2008218161.tif 000007
【図６】
2008218161.tif 000008
【図７】
2008218161.tif 000009
【図８】
2008218161.tif 000010